(57)【要約】      （修正有）【課題】木造建築物を構成する構造部材には無垢材又は工業製品である集成材を用いるが、加工した接合部に欠点が存在すると接合部強度が一定しない等、木材の性状に起因する弱点がある。強度、精度を要求される部位に用いる熟練した大工等の技術者による加工工場や現場での対応が不要な接合部強度を保ちながら精度を確保する接合金物を提供する。【解決手段】従来用いている二本間隙の接合金物の先端上部に割裂防止ワッシャー用雌螺子プレートと下端中央部には割裂防止支持ワッシャー固定用ナットを溶着等の方法により取り付け、構造部材と接合金物の一体化や割裂防止支持ワッシャーによる支持機能により多くの構造部材に対応する事が出来、接合金物形状を現行と大きく変更する事無く設計している事で周辺技術（ＣＡＤ等）を活用する。【選択図】図１７
2008175041.tif 000002
【特許請求の範囲】
【請求項１】
木造建築物の接合部に用いる接合金物本体上端部に割裂防止ワッシャー、下端部に割裂防止支持ワッシャーを取り付け、ボルトにより構造部材に内在する接合金物本体と一体化させ、接合金物の水平方向、垂直方向からの外力に対抗させ、構造部材の水平、垂直方向への割裂を防止し、高強度化を図る。
【請求項２】
接合金物本体は、金属板をコの字型に折曲させ前端平坦部に設けた溝状の間隙の上端付近部分を半円形に切り欠き、その残上部により左右の支持金属板を連結させ、平行する左右支持金属板の上部及び下部の一部を折曲または、溶着により上部は螺子切り接合板、下部はナットを取り付けた接合板を一体化し、上下端からのボルトにより、割裂防止ワッシャー及び支持ワッシャーを構造部材と一体化し、水平垂直方向への割裂を防止する接合金物本体。
【請求項３】
上端部用割裂防止ワッシャーは、半円形金属板中央部に凹部を成形し、その中央部にボルト固定用孔を設け接合金物本体と螺合緊結し、構造部材に取り付けた際その凹部によりボルト頭部を構造部材上端より突出させる事無く緊結固定でき、上端からの締め付けとその外周部に設けられた割裂防止爪により取り付けた構造部材の垂直方向の割裂を防止する。
【請求項４】
下部割裂防止支持ワッシャーは円形金属板の中央部を数センチ巾にボルト頭部分より若干量だけ凹ませ、ボルト固定部を形成、構造部材の落とし込み接合時に接合金物同士を干渉なく接合させる欠き取り部と外周に割裂防止爪を設け、構造部材の上下方向のボルト締めと側面からドリフトピンの固定により、内包接合金物と構造部材を一体化する。
接合金物本体と構造部材下端より締め付け固定することにより、木材寸法への対応、木材の乾燥収縮、吸水による膨潤等にも対応し、建築物の構造体に要求される部材同士の天端の水平精度を保ち、構造部材下端からの支持という要求を同時に満たす。
【請求項５】
接合部に接する受支側構造部材の割裂を防止するため、平座金の四隅を斜めに折曲させ割裂防止平座金とし、その先端が構造部材である受支側木材に減り込むことにより、被受支材からの垂直、水平方向の荷重に対抗し、斜め内部方向に垂直荷重の方向を変化させ割裂を防止し、耐力を向上させる。
【発明の詳細な説明】
【技術分野】
【０００１】  本発明は、木造建築物の構造部材の接合部を構成する接合金物に関するものである。
【背景技術】
【０００２】  木造建築物の構造部材同士の接合部は特殊構造やツーバイフォー構造を除いて、その多くが構造部材である木材を加工により蟻、鎌の雌雄といった形状の仕口（接合部を仕口と言う）に成形し、互いを結合している。【０００３】  しかしながら、この木材を加工し成形した接合部は、構造部材である木材の切削加工により製作されるため、建築物の構造部材であるにもかかわらず木材の耐力に影響する断面を欠損させ作り出すため、その構造部材である木材の断面性能による強度を発揮できない。【０００４】  近年、この構造部材である木材の接合部を構造部材の切削により作り出すのではなく、構造部材の仕口（接合部を仕口と言う）を金属の接合金物に代え、構造部材の断面欠損を最小限に止め、木材の断面性能を活かした接合方法が採用されている。【０００５】  しかしながら、金属を用いることにより、その耐力は上がるものの、接合金物を構造部材に固定するにはドリフトピンを用い、ドリフトピンの打ち込みにより固定する。
これにより、少なからず構造部材である木材にも衝撃を与えるため、木材に割裂を生じさせる、これ以外にも木材は乾燥、吸水による自然割裂を生じ、その強度を低下させている。【０００６】  このため、現時点では接合金物の接合部を採用する場合は、木材の欠点を分散させ作られた割裂が生じにくく、寸法精度や強度のバラツキの比較的少ない工業製品である集成材を採用している。
しかしながらこれ等集成材は、高価であると同時に接着剤（防腐剤等化学物質を含む）を用いて作られているため万人向けではない。【０００７】  この接着剤等を使用しない構造部材である無垢乾燥材は寸法精度にバラツキが多く、機械加工の場合は、従来の仕口は切削により成形するため、その精度には問題は少ないが、接合金物にあっては金属加工により寸法精度は安定しており、割裂、バラツキの多い無垢乾燥木材と組合せるには下端に構造部材に割裂等の問題が生じても耐力を保持できる受金物が必要とされている。
【発明が解決しようとする課題】
【０００８】  接合金物を採用した場合には接合部強度は向上するが、構造部材そのものに生ずる欠点（乾燥による自然割れ等）により構造部材全体の耐力が低下してしまう状況や、構造部材を選んでしまい高額になっている状況を鑑み、樹種、材種を選ぶ事無く使用でき、構造部材の寸法精度のバラツキにも対応出来る接合金物と接合方法が必要とされている。
【問題を解決するための手段】
【０００９】  接合部を構成する接合金物を受支材側接合金物、被受支材側接合金物に分割し、夫々に割裂防止機能を持つ部品と組み合わせ、構造部材（横架材等）上端と下端に、その外周数箇所に先鋭突起を設けた割裂防止ワッシャー（上端）と割裂防止支持ワッシャー（下端）をボルトにより固定、受支側接合金物には、割裂防止平座金を取り付け構造部材の割裂を接合金物全体で防止する。
【００１０】  構造部材は、機械加工をする場合、上端を基準として加工するため寸法精度にバラツキのある構造部材ではその下端は寸法精度が保たれず、固定的な受け金物では対応する事が不可能であったが、ボルトの回転による長さ調整機能は、寸法精度にバラツキのある構造部材にも対応可能な下端支持を行なう。
【発明の効果】
【００１１】  本発明によれば、構造部材上下端に設置された割裂防止ワッシャーは、その本体への固定ボルトが割裂防止ワッシャーの中心部に設けられているためボルトの力が直線的に働き上下端からの締め付けと割裂防止爪の減り込みにより確実に構造部材の水平、垂直方向への割裂を防止する。
【００１２】  更に、下端での構造部材の支持機能により、割裂が生じた場合でも耐力を維持することが出来る機能により、安価であるが自然割れ等の現象が生じ易く寸法精度にバラツキのある無垢材の構造部材にも対応が可能である。
これにより、構造部材の価格低減効果が得られ、国産材の杉材等を採用した場合でも安定的な構造強度を得ることができる。
【実施例】
【００１３】  図面［図−１］は本発明に係る接合金物を用いた構造部材同士の接合部の実施例を示すもので、図中１は接合部を構成する構造部材の受支材（柱、横架材等）であり、２は被受支材の横架材等の構造部材である。
更に３は被受支材に内在する被受支側接合金物、４、４’、４”は割裂防止座金付きボルト、５は割裂防止爪ｆ，ｆ”付き割裂防止平座金、６は割裂防止支持ワッシャー、７は割裂防止ワッシャー、８は割裂防止ワッシャー緊結固定ボルト、９は割裂防止支持ワッシャー緊結固定ボルトである。【００１４】  受支側構造部材である柱又は梁等１には、受支側接合金物ｉを固定するボルト孔が開けられ、連結平座金５を介し受支接合金物ｉ，ｉ’，ｉ”が割裂防止座金付きボルト４、４’、４”とナットｎ，ｎ’，ｎ”にて固定されている。【００１５】  この割裂防止平座金５は四隅を斜めに折曲させ、爪状突起ｆ，ｆ’を形成しこの爪状突起ｆ，ｆ’がｉ、ｉ’、ｉ”を固定する際ナットｎ、ｎ’、ｎ”を締め付けることにより受支材接合面に減り込み、被受支材（梁等横架材）に掛る荷重による受支材に掛る荷重の方向を分散させ、垂直一方向への集中を避け、受支接合金物ｉ，ｉ’、ｉ”に掛る力をも一部負担し、荷重の分散により受支側構造部材（柱、梁等）の荷重を分散させ４、４’、４”のみへの過重負担を軽減し、受支側構造部材の割裂を防止し粘りを生じさせている。【００１６】  構造部材である被受支材２の木口から中心部に向かい、二本の間隙を材軸方向中心部に向かい加工し、その間の中心部を数センチに亘り欠き取り受支側接合金物ｉ、ｉ’、ｉ”の干渉の回避部分とし更に、その欠きとられた前端底部から上方に数センチ、材軸方向に数センチ矩形に欠き取り固定ナットｇと構造部材２の干渉を避けるための形状２−１［図−１７］としている。【００１７】  その二本の間隙に被受支側接合金物３を挿入、その被受支側接合金物上端先端部に割裂防止ワッシャー７を固定するための厚さ数ミリの雌螺子孔付きプレートｂを接合金物３の本体の固定板ａに溶着等の方法により固定している。【００１８】  更に接合金物３の下端中央近部には被受支構造部材受けである割裂防止爪を有した割裂防止支持ワッシャーが接合金物本体３に折曲し溶着等の方法により設けられたナット付きプレートｃのナットｇと緊結固定ボルト９により螺合され、接合金物３と上述の割裂防止ワッシャー７にて被受支側構造部材２を上端、下端から締め付け緊結一体化している。【００１９】  これ等各部品により、受支側構造部材１の柱又は梁、被受支側構造部材２の横架材の荷重及び乾燥等による割裂を予防し、仮に割裂したとしてもその断面を保つことが出来ると同時に底部割裂防止支持ワッシャーにより耐力を維持する事が可能である。
結果材種を選択する事無く多くの木材を構造部材として採用可能となり比較的安価に高強度の木造建築物を建築することが可能である。
【図面の簡単な説明】
【図１】  接合部の接合状態を示す断面図
【図２】  接合金物本体平面図
【図３】  接合金物本体右側面図
【図４】  接合金物左側面図
【図５】  接合金物本体上面図
【図６】  接合金物本体底面図
【図７】  割裂防止ワッシャー平面図
【図８】  割裂防止ワッシャー裏面図
【図９】  割裂防止ワッシャー上面図
【図１０】  割裂防止ワッシャー右側面図、左側面図は対称形に表れる
【図１１】  割裂防止ワッシャー底面図
【図１２】  割裂防止平座金
【図１３】  割裂防止平座金左側面図
【図１４】  割裂防止平座金裏面図
【図１５】  割裂防止平座金上面図
【図１６】  接合金物本体と割裂防止、支持ワッシャーの関係を示す斜視図
【図１７】  被受支材の部分断面斜視図
【符号の説明】
１              受支側構造部材
２              被受支側構造部材
３              接合金物本体
４、４’、４”  割裂防止座金付きボルト
５              割裂防止平座金
６              割裂防止支持ワッシャー
７              割裂防止支ワッシャー
８              割裂防止ワッシャー緊結固定ボルト
９              割裂防止支持ワッシャー緊結固定ボルト
ａ              雌螺子付きプレート固定板
ｂ              雌螺子付きプレート
ｃ              ナット付きプレート
ｄ              割裂防止ワッシャー緊結平板部
ｅ              割裂防止支持ワッシャー緊結平板部
ｆ、ｆ’        割裂防止平座金爪状突起
ｇ              ナット
ｉ、ｉ’、ｉ”  受支側接合金物
ｊ              割裂防止爪
ｋ              ドリフトピン
ｍ              接合金物取付け用ドリフトピン
ｎ、ｎ’、ｎ”  受支側接合金物固定用ナット
ｏ、ｏ’、ｏ”  割裂防止座金付きボルト座金平板部
【図１】
2008175041.tif 000003
【図２】
2008175041.tif 000004
【図３】
2008175041.tif 000005
【図４】
2008175041.tif 000006
【図５】
2008175041.tif 000007
【図６】
2008175041.tif 000008
【図７】
2008175041.tif 000009
【図８】
2008175041.tif 000010
【図９】
2008175041.tif 000011
【図１０】
2008175041.tif 000012
【図１１】
2008175041.tif 000013
【図１２】
2008175041.tif 000014
【図１３】
2008175041.tif 000015
【図１４】
2008175041.tif 000016
【図１５】
2008175041.tif 000017
【図１６】
2008175041.tif 000018
【図１７】
2008175041.tif 000019